(57)【要約】  本発明はタイトルの少なくとも一つのセグメントに対する多重再生パスビデオデータの再生を管理するためのデータ構造を有する記録媒体と、データ構造を記録し、再生する方法と装置に関する。本発明による記録媒体にはパス管理情報が格納貯蔵されるパス管理領域が含まれる。パス管理情報はタイトルの少なくとも一つのセグメントに対する各再生パスと連係するビデオデータのクリップを識別する。
2005531192.tif 000002
【特許請求の範囲】
【請求項１】
記録媒体に記録される少なくとも多重再生パスビデオデータの再生を管理するためのデータ構造を有する記録媒体において、
パス管理情報が格納されるパス管理領域を含み、
前記パス管理情報はタイトルの少なくとも一つのセグメントに対する各再生パスと連係するビデオデータのクリップを識別することを特徴とする記録媒体。
【請求項２】
前記セグメントに対するビデオデータの各クリップは前記セグメントに対するビデオデータの異なるカメラアングルを示すことを特徴とする請求項１記載の記録媒体。
【請求項３】
前記ビデオデータはビデオデータパケットとして記録されて、各ビデオデータパケットにはパケット識別子が含まれ、同じ再生パスに対するビデオデータパケットは同じパケット識別子を有し、
前記パス管理情報は、再生パスと連係するビデオデータパケットのパケット識別子を識別することによって、前記再生パスと連係するビデオデータのクリップを識別することを特徴とする請求項１記載の記録媒体。
【請求項４】
前記パス管理情報は前記セグメントの各再生パスにある一番目のビデオデータパケットに対応するビデオデータパケットを識別することを特徴とする請求項３記載の記録媒体。
【請求項５】
前記パス管理情報にはタイトルの各セグメントに対応するパス管理情報アイテムが含まれることを特徴とする請求項１記載の記録媒体。
【請求項６】
少なくとも一つのセグメントに一つより多い再生パスが含まれ、
前記一つより多い再生パスが含まれた前記セグメントと連係する前記パス管理情報アイテムは各再生パスを識別することを特徴とする請求項５記載の記録媒体。
【請求項７】
前記一つより多い再生パスは前記セグメントの他のカメラアングルであることを特徴とする請求項６記載の記録媒体。
【請求項８】
各パス管理情報アイテムは前記連係するセグメントにある再生パスを識別することを特徴とする請求項５記載の記録媒体。
【請求項９】
前記セグメントにある各再生パスと連係する少なくとも一つ以上のＥＰマップが含まれるクリップ情報ディレクトリ領域をさらに含み、
各ＥＰマップは、前記連係する再生パスに対するビデオデータを識別して、前記識別されるビデオデータのプレゼンテーションタイムを識別することを特徴とする請求項１記載の記録媒体。
【請求項１０】
前記ＥＰマップは時間的に整列されていることを特徴とする請求項９記載の記録媒体。
【請求項１１】
前記セグメントに対するビデオデータが格納される少なくとも一つのデータ領域をさらに含み、
前記ビデオデータはビデオデータパケットとして記録されて、前記セグメントに対する他の再生パスと連係する前記ビデオデータパケットの少なくとも一部が多重化されることを特徴とする記録媒体。
【請求項１２】
前記多重化されるビデオデータパケットはビデオデータパケットをベースにして多重化されることを特徴とする請求項１１記載の記録媒体。
【請求項１３】
前記セグメントに対する各再生パスと連係するビデオデータパケットは一つまたはそれ以上のグループとして記録されて、そのグループは多重化されることを特徴とする記録媒体。
【請求項１４】
ビデオデータパケットの各グループは少なくとも一つ以上のＩ−Ｐｉｃｔｕｒｅを有することを特徴とする請求項１３記載の記録媒体。
【請求項１５】
各グループの一番目のビデオデータパケットがＩ−Ｐｉｃｔｕｒｅの開始であることを特徴とする請求項１４記載の記録媒体。
【請求項１６】
少なくとも多重再生パスビデオデータの再生を管理するためのデータ構造を記録媒体に記録する方法において、
前記記録媒体のパス管理領域にパス管理情報を記録し、
前記パス管理情報はタイトルの少なくとも一つのセグメントに対する各再生パスと連係するビデオデータのクリップを識別することを特徴とする方法。
【請求項１７】
記録媒体に記録された少なくとも多重再生パスビデオデータの再生を管理するためのデータ構造を再生する方法において、
パス管理情報を前記記録媒体のパス管理領域から再生し、
前記パス管理情報はタイトルの少なくとも一つ以上のセグメントに対する各再生パスと連係するビデオデータのクリップを識別することを特徴とする方法。
【請求項１８】
少なくとも多重再生パスビデオデータの再生を管理するためのデータ構造を記録媒体に記録する装置において、
前記記録媒体にデータを記録する光記録手段を駆動するドライブと、
少なくとも多重再生パスビデオデータをエンコーディングするためのエンコーダと、
前記記録媒体のパス管理領域にパス管理情報を記録するように、前記ドライブを制御するコントローラとを含み、
前記パス管理情報はタイトルの少なくとも一つ以上のセグメントに対する各再生パスと連係するビデオデータのクリップを識別することを特徴とする装置。
【請求項１９】
記録媒体に記録された少なくとも多重再生パスビデオデータの再生を管理するためのデータ構造を再生する装置において、
記録媒体に記録されたデータを再生する光再生手段を駆動するドライブと、
パス管理情報を前記記録媒体のパス管理領域から再生するように、前記ドライブを制御するコントローラとを含み
前記パス管理情報はタイトルの少なくとも一つのセグメントに対する各再生パスと連係するビデオデータのクリップを識別することを特徴とする装置。
【発明の詳細な説明】
【技術分野】
【０００１】
本発明はタイトルの少なくとも一つのセグメントに対する多重再生パスビデオデータの再生を管理するためのデータ構造を有する記録媒体、その多重再生パスビデオデータを再生して記録するための装置及び方法に関する。
【背景技術】
【０００２】
最近、高画質のビデオデータと高音質のオーディオデータを高容量で記録できる新しい高密度再生専用または再記録可能光ディスクに対する規格化作業が急速に進み、、再記録可能ブルーレイディスク（ＢＤ−ＲＥ）のような新しい光ディスクと関連した製品がまもなく商用化されるものと期待されている。
【０００３】
図１は、再記録可能ブルーレイディスク（ＢＤ−ＲＥ）のファイル構造を示したものである。そのファイル構造またはデータ構造はＢＤ−ＲＥに記録されるビデオオーディオデータの再生を管理するために用いられる。図１に示したように、データ構造は少なくとも一つの「ＢＤＡＶ」ディレクトリを有するルートディレクトリを含む。「ＢＤＡＶ」ディレクトリには「ｉｎｆｏ．ｂｄａｖ」、「ｍｅｎｕ．ｔｉｄｘ」、「ｍａｒｋ．ｔｉｄｘ」、「＊．ｒｐｌｓ」、「＊．ｖｐｌｓ」のような再生リストファイルが格納されるＰＬＡＹＬＩＳＴサブディレクトリ、「＊．ｃｌｐｉ」のようなクリップ情報ファイルが格納されるＣＬＩＰＩＮＦサブディレクトリ、クリップ情報ファイルに対応するＭＰＥＧ−２フォーマットのＡ／Ｖストリームクリップファイルが格納されるＳＴＲＥＡＭサブディレクトリが含まれる。図１は、ディスクのデータ構造だけでなくディスクの領域をも示している。例えば、「ｉｎｆｏ．ｂｄａｖ」のような一般情報ファイルはディスクの一般情報領域に格納される。
【０００４】
図１に示したＢＤ−ＲＥのデータ構造とディスクフォーマットは広く知られて容易に利用できるので、以後ファイル構造に対しては簡単に説明する。
【０００５】
前述したように、ＳＴＲＥＡＭディレクトリにはクリップと呼ばれるＭＰＥＧ−２フォーマットのＡ／Ｖストリームファイルが含まれ、またブリッジ−クリップＡ／Ｖストリームファイルという特別な形態のクリップも含まれることがある。ブリッジ−クリップはクリップのうちから選択された二つ以上の再生区間を滑らかに連結するために使われ、一般にクリップに比べてサイズが小さい。Ａ／Ｖストリームにはビデオオーディオデータのソースパケットが含まれる。例えば、ビデオオーディオデータのソースパケットにはヘッダーと伝送パケットが含まれる。一つのソースパケットには自身にアクセスするためのアドレスの役割を果たすソースパケット番号（ＳＰＮ：）が含まれる。そのソースパケット番号は一般に順番に番号が割り当てられる。伝送パケットには一つのパケットＩＤ（ＰＩＤ）が含まれる。そのＰＩＤは伝送パケットが属する一連の伝送パケットを識別する。一連の伝送パケットにある各伝送パケットはＰＩＤが同じである。以後、一連の伝送パケットを伝送パケットシーケンスという。
【０００６】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準（ＡＴＣ）シーケンスとシステム時間基準（ＳＴＣ）シーケンスを記述する。例えば、シーケンス情報はシーケンスの数、各シーケンスの開始と終わり時間情報、各シーケンスの一番目のソースパケットのアドレス、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【０００７】
タイミング情報は特徴ポイント情報（ＣＰＩ）と呼ばれる。ＣＰＩの一形態がエントリーポイントマップ（（ＥＰ）Ｍａｐ）である。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【０００８】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテム（Ｐｌａｙｉｔｅｍ）と呼ばれる。再生リストファイルは再生リストを形成する各再生アイテムを識別し、各再生アイテムは、クリップの時間軸上の位置（例えば、ＡＴＣまたはＳＴＣ基準でプレゼンテーションタイムスタンプ（ＰＴＳ））を示すＩＮ−ｐｏｉｎｔとＯＵＴ−ｐｏｉｎｔの対である。換言すれば、再生リストファイルは再生アイテムを識別し、各再生アイテムは一つのクリップまたはその一部を指示してクリップと連係するクリップ情報ファイルを識別する。クリップ情報ファイルは再生アイテムをソースパケットのクリップに連結するために使われる。
【０００９】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見られるので、概念的にディスク上でクリップの一部を参照することと同等なことに見られる。仮想再生リストはクリップとブリッジ−クリップをすべて用いることができるので、実再生リストの概念は仮想再生リストと並存しない。
【００１０】
「ｉｎｆｏ．ｂｄａｖ」ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにある再生リストのファイル名を識別する再生リスト目録を含む。
【００１１】
「ｍｅｎｕ．ｔｉｄｘ」、「ｍｅｎｕ．ｔｄｔ１」、「ｍｅｎｕ．ｔｄｔ２」ファイルはメニューサムネイルと関連した情報を格納する。「ｍａｒｋ．ｔｉｄｘ」、「ｍａｒｋ．ｔｄｔ１」、「ｍａｒｋ．ｔｄｔ２」ファイルはマークサムネイルと関連した情報を格納する。このようなファイルは本発明と直接的な関連がないので、これ以上詳細な説明は省略する。
【００１２】
最近ではブルーレイロム（ＢＤ−ＲＯＭ）のような高密度再生専用光ディスクに対する規格化作業が進行している。しかし、ＢＤ−ＲＯＭのような高密度再生専用光ディスクに記録されるビデオオーディオデータの再生を管理するデータ構造に対する効率的な解決策がまだ用意されていない。
【発明の開示】
【発明が解決しようとする課題】
【００１３】
したがって、本発明は前記のような実情を勘案して創作されたものであって、本発明の目的は、多重再生パス及び／または多重タイトルをベースにしてビデオデータの再生を管理できるようにするファイルまたはデータ構造を有する記録媒体を提供して、前記のようなデータ構造を記録して再生する装置と方法を提供することである。
【課題を解決するための手段】
【００１４】
本発明による記録媒体には記録媒体に記録された少なくとも多重再生パスビデオデータの再生を管理するデータ構造が含まれる。
【００１５】
本発明の実施態様によれば、記録媒体にはパス管理情報が格納されるパス管理領域が含まれる。パス管理情報はタイトルの少なくとも一つのセグメントに対する各再生パスと連係するビデオデータのクリップを識別する。本発明の一実施態様では、セグメントに対するビデオデータの各クリップはセグメントに対するビデオデータの異なるカメラアングルを表すことができる。
【発明を実施するための最良の形態】
【００１６】
以下、本発明に対する望ましい実施形態に対して、添付した図面を参照しながら詳細に説明する。
【００１７】
本発明による高密度光ディスク、例えばＢＤ−ＲＯＭは、図２に示したように、ビデオオーディオデータの再生を管理するファイルまたはデータ構造を有する。図２のような本発明によるデータ構造は様々な面で図１に図示したＢＤ−ＲＥのデータ構造と同じである。したがって、同じの部分は詳細な説明を省略する。
【００１８】
図２に示したように、ルートディレクトリには少なくとも一つのＤＶＰディレクトリがある。ＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実再生リストファイル（＊．ｒｐｌｓ）と仮想再生リストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、クリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００１９】
ＳＴＲＥＡＭディレクトリにはクリップと呼ばれるＭＰＥＧ−２フォーマットのＡ／Ｖストリームクリップファイルが含まれ、また、ブリッジ−クリップＡ／Ｖストリームファイルと呼ばれる特別な形態のクリップも含まれる。ブリッジ−クリップはクリップのうちから選択された二つ以上の再生区間を滑らかに連結するために使用されるもので、一般にクリップに比べてサイズが小さい。Ａ／Ｖストリームにはビデオオーディオデータのソースパケットが含まれる。例えば、ビデオオーディオデータのソースパケットにはヘッダーと伝送パケットが含まれる。一つのソースパケットには自身にアクセスするためのアドレスの役割を果たすソースパケット番号ＳＰＮが含まれる。そのソースパケット番号は一般に順番に番号が割り当てられる。伝送パケットには一つのパケットＩＤ  ＰＩＤが含まれる。ＰＩＤは伝送パケットが属する伝送パケットシーケンスを識別する。伝送パケットシーケンスにある各伝送パケットはＰＩＤが同じである。
【００２０】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準ＡＴＣシーケンスとシステム時間基準ＳＴＣシーケンスを記述する。例えば、シーケンス情報はシーケンスの数、各シーケンスの開始と終わり時間情報、各シーケンスの一番目のソースパケットのアドレスと、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【００２１】
タイミング情報は特徴ポイント情報（ＣＰＩ）と呼ばれる。ＣＰＩの一形態がＥＰマップである。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【００２２】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別し、各再生アイテムはクリップの時間軸上の位置（例えば、ＡＴＣまたはＳＴＣ基準でプレゼンテーションタイムスタンプ）を示すＩＮ−ｐｏｉｎｔとＯＵＴ−ｐｏｉｎｔの対である。換言すれば、再生リストファイルは再生アイテムを識別し、各再生アイテムは一つのクリップまたはその一部を指示してクリップと連係するクリップ情報ファイルを識別する。クリップ情報ファイルは再生アイテムをソースパケットのクリップに連結するために使われる。
【００２３】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見られるので、概念的にディスク上でクリップの一部を参照することと同等なことに見られる。仮想再生リストはクリップとブリッジ−クリップをすべて用いることができるので、実再生リストの概念は仮想再生リストと並存しない。
【００２４】
「ｉｎｆｏ．ｄｖｐ」ファイルは光ディスクに記録されるＡ／Ｖストリームの再生を管理する一般的な情報を提供する一般情報ファイルであり、さらに詳細にはＰＬＡＹＬＩＳＴディレクトリにある再生リストのファイル名を識別する再生リスト目録を含む。「ｉｎｆｏ．ｄｖｐ」ファイルに対しては本発明の実施形態と関連して次にさらに詳細に説明する。
【００２５】
図２では、本発明の実施形態による記録媒体のデータ構造を示すだけでなく、記録媒体の領域をも示している。例えば、一般情報ファイルは一つ以上の一般情報領域に記録され、再生リストディレクトリは一つ以上の再生リストディレクトリ領域に記録され、再生リストディレクトリ内の各再生リストは記録媒体の一つ以上の再生リスト領域に記録される。図２のデータ構造を有する記録媒体に対して例示している図３に示したように、記録媒体にはファイルシステム情報領域、データベース領域、Ａ／Ｖストリーム領域が含まれる。データベース領域には一般情報ファイルと再生リスト情報が記録される領域とクリップ情報領域が含まれる。一般情報ファイルと再生リスト情報が記録される領域には、一般情報ファイル領域の一般情報ファイルと、再生リスト情報領域のＰＬＡＹＬＩＳＴディレクトリと再生リストファイルが記録される。クリップ情報領域には、ＣＬＩＰＩＮＦディレクトリと、関連クリップ情報ファイルが記録される。Ａ／Ｖストリーム領域には多様なタイトルのＡ／Ｖストリームが記録される。
【００２６】
ビデオオーディオデータは一般に個別タイトルとして編成されている。例えば、ビデオオーディオデータにより表現される異なる映画は異なるタイトルとして編成される。また、タイトルは、本がチャプターとして編成されるように多くのチャプターとして編成できる。
【００２７】
ＢＤ−ＲＯＭのような新しい高密度記録媒体は記録容量が非常に大きいため、異なるタイトル、様々なバージョンのタイトル、または一タイトルの一部を格納して再生することができる。例えば、異なるカメラアングルのビデオデータを記録媒体に記録したり、他の実施形態では、タイトルに対する様々バージョンまたは異なる言語と関連した一部も記録媒体に記録することができ、さらに他の実施形態では、タイトルに対する監督バージョンまたは映画館用バージョンも記録媒体に記録することができる。または、一タイトルの成人バージョン、青年バージョン、父母が制限できる少年バージョンなどをも記録媒体に記録することができる。各バージョンは異なる再生パスを有している。このような場合のビデオデータは多重再生パスビデオデータと呼ばれる。本発明は、多重パスビデオデータに対する前記例に限らず、多重再生パスビデオデータのある類型またはそれらの組合せに対しても適用可能である。後の実施形態で詳細に説明するが、本発明のデータ構造には、記録媒体に記録される多重再生パスビデオデータの再生を管理するためのパス管理情報及び／またはナビゲーション情報が含まれる。
【００２８】
ＢＤ−ＲＯＭのような記録媒体の物理的データ記録領域にタイトルとして記録される、例えば、マルチストーリー、父母制限水準、多重アングルデータストリームのような多重再生パスデータストリームは複数のクリップファイルとして管理される。例えば、図４Ａのクリップファイル１ないし３は一つのタイトルに対応しており、クリップファイルに記録されるＡ／ＶストリームはＭＰＥＧ−２フォーマットの伝送パケットＴＰの形態を有する。
【００２９】
多重パスデータストリームのＴＰには、パスを識別するためにパス（例えば、異なるカメラアングル）それぞれに固有なパケットＩＤ  ＰＩＤが含まれる。パス１に該当するクリップファイル１のＴＰ（ＴＰ１）には「Ｖｉｄｅｏ_ＰＩＤ＝Ａ」と「Ａｕｄｉｏ_ＰＩＤ＝Ｐ」情報が含まれ、パス２に該当するクリップファイル２のＴＰ（ＴＰ２）には「Ｖｉｄｅｏ_ＰＩＤ＝Ｂ」と「Ａｕｄｉｏ_ＰＩＤ＝Ｒ」情報が含まれ、同様にパス３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。
【００３０】
パス１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブされた状態で記録される。多重再生パスに対するＴＰは、ＰＩＤをベースにしてインタリーブされてインタリーブブロックになるが、各インタリーブブロックは少なくとも一つのイントラ符号化ピクチャーが含まれる。そして、各インタリーブブロックの一番目の伝送パケットＴＰはＩ−Ｐｉｃｔｕｒｅが始まる伝送パケットＴＰである。
【００３１】
クリップファイル１、２、３にそれぞれ該当するクリップ情報ファイル１、２、３には各再生パスのＴＰに選択的にアクセスするためのサーチ情報が含まれる。例えば、図４Ａに示したように、各クリップ情報ファイルには一つまたはそれ以上のエントリーポイントマップ（（ＥＰ）Ｍａｐ）が含まれる。ＥＰマップは連係するクリップファイルにあるＴＰのソースパケット番号（ＳＰＮ）を連結するプレゼンテーションタイムスタンプ（ＰＴＳ）を含んでいる。一実施形態では、多重再生パスデータストリームに含まれるパスの数とＥＰマップとの間に一対一の関係がある。図４Ａの実施形態において、クリップファイル１、２、３にそれぞれ該当するＥＰマップ１、２、３は対応するクリップ情報ファイル１、２、３に生成されて記録される。
【００３２】
図４Ｂでは異なるクリップファイルに対するＥＰマップ間に存在する時間整列を示している。ＥＰマップは再生アイテムで指示されたのと同じように、プレゼンテーションタイムスタンプをソースパケットに連結する。さらに詳細には、プレゼンテーションタイムスタンプはソースパケットのアドレスまたは識別子に連結される。アドレスまたは識別子はソースパケット番号ＳＰＮである。図４Ｂにはクリップファイル１、２、３それぞれに対してプレゼンテーションタイムスタンプ軸に沿ったソースパケット番号でソースパケットをさらに示している。図示したように、ＥＰマップ１、２、３それぞれのソースパケットは同じプレゼンテーションタイムスタンプを有する。例えば、クリップファイル１でのソースパケットｘ１、クリップファイル２でのソースパケットｙ１、クリップファイル３でのソースパケットｚ１が同じプレゼンテーションタイムスタンプＴ１を有する。すなわち、ＥＰ  ｍａｐ１、２、３は時間整列されている。このような時間整列のため、再生している間に再生パスが変わってもビデオデータに対してスムースな再生が可能になる。図４では二つの同心円で再生パスの変化を示している。図示したように、ユーザーがソースパケットｙ２の再生途中でクリップファイル２からクリップファイル１に再生パスを変えると、ソースパケットｙ２の再生を終えた後ソースパケットｘ３が次に再生するソースパケットになる。同様に、もしユーザーがソースパケットｘ４の再生途中でクリップファイル１からクリップファイル３へ再生パス（例えば、カメラアングル）を変えると、ソースパケットｘ４の再生を終えた後ソースパケットｚ５が再生される。本実施形態でのソースパケット番号は単に例示であるだけであって、一般に一つのクリップファイルでのソースパケットは異なるクリップファイルでの時間整列されたソースパケットのソースパケット番号と同じではない。
【００３３】
図５では本発明の実施形態による一般情報ファイル（ｉｎｆｏ．ｄｖｐ）の一部を例示している。一般情報ファイルには「ＴａｂｌｅＯｆＰｌａｙｌｉｓｔｓ」という情報フィールドがあるが、その再生リスト目録（ＴａｂｌｅＯｆＰｌａｙｌｉｓｔｓ）には情報フィールドの長さとＰＬＡＹＬＩＳＴディレクトリにある再生リストの数が記録される。そして、各再生リストに対して、再生リスト目録に再生リストのファイル名（ＰｌａｙＬｉｓｔ_ｆｉｌｅ_ｎａｍｅ）とパス番号（Ｐａｔｈ＿ｎｕｍｂｅｒ）が記録される。パス番号は連係する再生リストが属するパスを指示することによってパス管理情報を提供する。図４Ａと図４Ｂの実施形態において、一つのクリップには各パスが対応する。したがって、各再生リストファイルには一つの再生アイテムが含まれ、再生アイテムは再生リストファイルのようなパスに連係する一つのクリップを指摘する。しかし、本発明はそれに限らない。
【００３４】
本発明の他の実施形態において、再生リスト目録にパス管理情報が含まれない。この実施形態では、図６に示したように、パス管理情報が再生リストファイルとして提供される。各再生リストファイルにはファイルの長さ、再生リストを形成する再生アイテムの個数（ｎｕｍｂｅｒ_ｏｆ_Ｐｌａｙｉｔｅｍｓ）が記録される。各再生アイテムに対して、再生アイテム情報フィールドが再生リストファイルに提供される。ここで、各再生アイテムは再生アイテムの番号で識別される。図６に示したように、再生アイテム情報フィールドにはフィールドの長さとパス番号（Ｐａｔｈ_ｎｕｍｂｅｒ）が含まれる。パス番号は連係する再生アイテムが属するパスを指定することによってパス管理情報を提供する。
【００３５】
図７は、本発明による光ディスク記録及び再生装置に対する構成を示したものである。Ａ／Ｖエンコーダ９は、オーディオビデオデータの入力を受けてエンコーディングして、コーディング情報とストリーム特性情報と共にマルチプレクサ８に出力する。マルチプレクサ８は、例えば、ＭＰＥＧ−２伝送ストリームを生成するために、入力されたコーディング情報とストリーム特性情報を基にしてエンコーディングされたオーディオビデオデータを多重化する。ソース・パケッタイザ７はマルチプレクサから入力された伝送パケットを光ディスクのオーディオビデオフォーマットに適合するソースパケットにパケット化する。図７に示したように、Ａ／Ｖエンコーダー９、マルチプレクサ８、ソース・パケッタイザ７の動作はコントローラ１０により制御される。コントローラ１０がユーザーから記録命令を受信すると、Ａ／Ｖエンコーダ９、マルチプレクサ８、ソース・パケッタイザ７に制御情報を送る。例えば、コントローラ１０は、Ａ／Ｖエンコーダ９に実行するエンコーディング類型を指示し、マルチプレクサ８に生成する伝送ストリームを指示し、ソース・パケッタイザ７にソースパケットのフォーマットを指示する。また、コントローラ１０は光ディスクにソース・パケッタイザ７の出力を記録できるようにドライブ３を制御する。
【００３６】
また、コントローラ１０は光ディスクに記録されているオーディオビデオデータの再生を管理するためのパス管理情報を作りだす。例えば、ユーザーとのインターフェース（ディスクに格納されていた、またはイントラネットまたはインターネットを介して提供する命令語）を介して受けた情報を基礎にして、コントローラ１０は光ディスクに図２、図４、及び図５または図６のデータ構造を記録するようにコントローラ３を制御する。
【００３７】
再生期間には、コントローラ１０はデータ構造を再生するようにドライブ３を制御する。すなわち、ディスクに含まれた情報とユーザーインターフェース（記録及び再生装置の操作ボタンまたはその装置と関連した遠隔操作）を介して受けたユーザー入力を基にして、コントローラ１０は光ディスクからオーディオビデオソースパケットを再生するようにドライブ３を制御する。例えば、ユーザー入力は再生するパスを指定できる。このようなユーザー入力は、例えば、コントローラ１０にあらかじめプログラムされたＧＵＩベースのメニューを介して、指定することができる。ユーザー入力と光ディスクから読み出されるパス管理情報を利用して、コントローラ１０は指定されたパスの再生を制御する。
【００３８】
例えば、特定のパスを選択するためには、コントローラ１０は再生パスの個数を確認するために各再生アイテムに対するパス番号を調査して、ユーザーが再生するパスを選択できるようにする。パス管理情報には再生する再生パスと関連した意味ある情報を含めることができる。再生期間に、再生作動を行うために、選択されたパスに対するＥＰマップがアクセスされる。そして、再生している間にユーザーがパスを変更する場合、再生されているパスのＥＰマップと時間的に整列された新しいパスのＥＰマップを用いて中断せずにパス変更を行うことができる。
【００３９】
ソース・デパケッタイザ４は再生されたソースパケットの入力を受けてＭＰＥＧ−２伝送パケットストリームのようなデータストリームに変換する。デマルチプレクサ５はデータストリームをエンコーディングされたビデオオーディオデータに逆多重化する。Ａ／Ｖデコーダ６はエンコーディングされたビデオオーディオデータをデコーディングして元のビデオオーディオデータにする。再生期間、ソース・デパケッタイザ４、デマルチプレクサ５、Ａ／Ｖデコーダ６の動作はコントローラ１０により制御される。コントローラ１０がユーザーから再生命令を受信すると、ソース・デパケッタイザ４、デマルチプレクサ５、Ａ／Ｖデコーダ６に制御情報を送る。例えば、コントローラ１０は、ソース・デパケッタイザ４にソースパケットのフォーマットを指示し、デマルチプレクサ５に逆多重化する伝送ストリームを指示し、Ａ／Ｖデコーダ６に実行するデコーディング類型を指示する。
【００４０】
図７には記録及び再生装置に関して示しているが、図７の構成要素一部だけで記録動作または再生作動だけ提供する専用記録装置または専用再生装置も可能である。
【００４１】
図８は、図２のデータ構造で使われるクリップファイル、ディスクデータ、ＥＰマップに対する二番目の実施形態を示したものである。前で説明したように、ＢＤ−ＲＯＭのような記録媒体の物理的データ記録領域に記録される多重パスデータストリームは複数のクリップファイルとして管理される。例えば、図８のクリップファイル１ないし３は一つのタイトルに該当して、クリップファイルに記録されるＡ／ＶストリームはＭＰＥＧ−２フォーマットの伝送パケットＴＰの形態を有する。
【００４２】
パス１に該当するクリップファイル１のＴＰ（ＴＰ１）には「Ｖｉｄｅｏ_ＰＩＤ＝Ａ」とＡｕｄｉｏ_ＰＩＤ＝Ｐ」情報が含まれ、パス２に該当するクリップファイル２のＴＰ（ＴＰ２）には「Ｖｉｄｅｏ_ＰＩＤ＝Ｂ」とＡｕｄｉｏ_ＰＩＤ＝Ｒ」情報が含まれ、同様にパス３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。パス１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブされた状態で記録される。前で説明したように、一実施形態で異なるパスは異なるカメラアングルとすることができる。
【００４３】
多重再生パスに対するＴＰはインタリーブされてインタリーブブロックになるが、各インタリーブブロックは少なくとも一つのＩ−Ｐｉｃｔｕｒｅが含まれる。各インタリーブブロックの一番目の伝送パケットＴＰはＩ−Ｐｉｃｔｕｒｅが始まる伝送パケットＴＰである。
【００４４】
図８に示されているように、ＢＤ−ＲＯＭの物理的データ記録領域に一つのタイトルとして記録される単一パスと多重パスＡ／Ｖストリームの再生制御のためのパス管理情報はクリップファイルに対応するクリップ情報ファイルに記録される。
【００４５】
例えば、パス管理情報はクリップファイル１、２、３に対応するクリップ情報ファイルにパスシーケンス情報として記録され、管理される。パスシーケンス情報には、記録セグメント、例えば記録セグメント１、２、３に対応するパスシーケンス番号（Ｐａｔｈ_Ｓｅｑｕｅｎｃｅ_Ｎｕｍｂｅｒｓ）とビデオ／オーディオＰＩＤが含まれる。
【００４６】
さらに詳細には、一番目の記録セグメントに該当するＰａｔｈ_Ｓｅｑｕｅｎｃｅ＃１には、この記録セグメントが一番目の再生パスに対するビデオデータだけを含むということを指す「Ｖｉｄｅｏ_ＰＩＤ＝Ａ」と「Ａｕｄｉｏ_ＰＩＤ＝Ｐ」情報が含まれ、二番目の記録セグメントに該当するＰａｔｈ_Ｓｅｑｕｅｎｃｅ＃２には、この記録セグメントが一番目、二番目、三番目の再生パスに対するビデオデータを含むということを指す「Ｖｉｄｅｏ_ＰＩＤ＝Ａ、Ｂ、Ｃ」と「Ａｕｄｉｏ_ＰＩＤ＝Ｐ、Ｒ、Ｓ」情報が含まれ、三番目の記録セグメントに該当するＰａｔｈ_Ｓｅｑｕｅｎｃｅ＃３には、この記録セグメントのビデオデータが一番目の再生パスに対するビデオデータだけを含むということを指す「Ｖｉｄｅｏ_ＰＩＤ＝Ａ」と「Ａｕｄｉｏ_ＰＩＤ＝Ｐ」情報が含まれる。
【００４７】
各パスシーケンスにはそのシーケンスにある各再生パスに対するソースパケット番号ＳＰＮが含まれる。再生パスに対するＳＰＮは再生シーケンスにある再生パスに対する一番目のソースパケットである。
【００４８】
パスシーケンスはパスシーケンスに含まれる再生パスを一つまたはそれ以上有するビデオデータセグメントに対応する。パスシーケンスの個数は３個に限られない。
【００４９】
図８では、パスシーケンス情報だけでなく、記録セグメント１ないし３に記録される各再生パスのＴＰに選択的にアクセスするために同じサーチ情報を提供するクリップファイル１、２、３に対するクリップ情報ファイルを示している。例えば、同一のＥＰマップがクリップ情報ファイルにより提供される。クリップ情報ファイルに記録されるＥＰマップ情報が一つのＥＰマップとして管理される時、異なる再生パスのＴＰのＰＴＳとＳＰＮは他のパスのＴＰが記録される順序と同じ順序でインタリーブされてＥＰマップに記録される。
【００５０】
代りに、図４Ａと図４Ｂに示したように、ＥＰマップと再生パスの間に一対一の対応関係を持たせても良い。図８の場合に、パス１、２、３のＴＰの集合にそれぞれ対応する３個のＥＰマップＥＰ_ｍａｐ１、２、３がクリップ情報ファイルに生成されて記録される。
【００５１】
クリップファイル１、２、３にそれぞれ該当するクリップ情報ファイル１、２、３には各再生パスのＴＰに選択的にアクセスするためのサーチ情報が含まれる。例えば、図４Ａに示したように、各クリップ情報ファイルには一つまたはそれ以上のエントリーポイントマップ（（ＥＰ）Ｍａｐ）が含まれるが、そのＥＰマップには連係するクリップファイルにあるＴＰのソースパケット番号（ＳＰＮ）を連結するプレゼンテーションタイムスタンプ（ＰＴＳ）が含まれる。一実施形態において、多重再生パスデータストリームに含まれるパスの数とＥＰマップとの間に一対一の関係がある。図４Ａの実施形態において、クリップファイル１、２、３にそれぞれ該当するＥＰマップ１、２、３は対応するクリップ情報ファイル１、２、３に生成されて記録される。
【００５２】
図７の記録及び再生装置は、図８の実施形態に対して、図４Ａと図４Ｂで説明したことと同様に作動する。しかし、他の再生方法も可能であって、本発明はそれに限らない。例えば、クリップ情報ファイル内のパスシーケンス情報形態のパス管理情報を多重再生パスビデオデータの再生を管理するために読み出して使用することができる。コントローラ１０は各パスシーケンスのＰＩＤを調査して再生パスの個数を確認して、ユーザーが再生パスを選択できるようにする。もし、一つのＥＰマップが提供されれば、コントローラ１０は、選択されたパスのＥＰマップとＰＩＤを用いて、選択された再生パスに適合したクリップファイルを再生する。もし、各再生パスに対するＥＰマップが提供されれば、選択された再生パスに該当するＥＰマップを使用して選択された再生パスに対するクリップファイルを再生する。再生している間にユーザーがパスを変更する場合、再生されているパスのＥＰマップと時間的に整列された新しいパスのＥＰマップを用いて途切れなくパス変更を行う。
【００５３】
したがって、前記のように構成される本発明は、多重再生パスをベースにしてビデオデータを管理できるようにすることによって、ユーザーの嗜好や便宜に合せてビデオデータを再生できる柔軟性を提供する。
【００５４】
以上、前述した本発明の望ましい実施形態は例示の目的のために開示されたものであって、ＢＤ−ＲＯＭ以外の他の光ディスクにも拡大適用が可能であり、また当業者ならば以下添付された特許請求範囲に開示された本発明の技術的思想とその技術的範囲内において、多様な他の実施形態を改良、変更、代替または付加などが可能である。
【図面の簡単な説明】
【００５５】
【図１】再記録可能ブルーレイディスク（ＢＤ−ＲＥ）の規格による再記録可能光ディスクのファイルまたはデータ構造を示したものである。
【図２】本発明による記録媒体のファイルまたはデータ構造に対する実施形態を示したものである。
【図３】図２のデータ構造を有する記録媒体に対する実施形態を示したものである。
【図４Ａ】図２のデータ構造で使われるクリップファイル、ディスクデータ、ＥＰマップに対する一番目の実施形態を示したものである。
【図４Ｂ】異なるクリップファイルに対するＥＰマップ間に存在する時間整列を示したものである。
【図５】図２のデータ構造で使われる再生パス管理情報に対するデータ構造に対する二番目と三番目の実施形態を示したものである。
【図６】図２のデータ構造で使われる再生パス管理情報に対するデータ構造に対する二番目と三番目の実施形態を示したものである。
【図７】本発明による光ディスク記録及び再生装置の構成を示したものである。
【図８】図２のデータ構造で使われるクリップファイル、ディスクデータ、ＥＰマップに対する二番目の実施形態を示したものである。
【図１】
2005531192.tif 000003
【図２】
2005531192.tif 000004
【図３】
2005531192.tif 000005
【図４Ａ】
2005531192.tif 000006
【図４Ｂ】
2005531192.tif 000007
【図５】
2005531192.tif 000008
【図６】
2005531192.tif 000009
【図７】
2005531192.tif 000010
【図８】
2005531192.tif 000011
【国際調査報告】
2005531192.tif 000012